(57)【要約】【課題】電線の反力によって電線カバーがコネクタから外れることを防止することが可能なコネクタ構造を提供する。【解決手段】コネクタ本体１２に一体形成されコネクタ本体１２から引き出される電線引き出し方向と異なる方向へ折り曲げられる電線５を案内するガイドリブ１３と、ガイドリブ１３により案内された電線５をコネクタ本体１２に保持する電線保持部１４とを有するコネクタ２と、コネクタ２の電線引き出し側に装着されて端子収容室１１から引き出されて折り曲げられた電線５を覆う電線カバー３とを備える。電線引き出し方向と異なる方向へ折り曲げられガイドリブ１３によって案内された電線５の反力を抑制する位置に前記電線保持部１４が設けられる。【選択図】図１
2012150950.tif 000002
【特許請求の範囲】
【請求項１】
電線（５）端末の端子金具が収容される端子収容室が形成されたコネクタ本体と、このコネクタ本体に一体形成されコネクタ本体から引き出される電線引き出し方向と異なる方向へ折り曲げられる電線を案内するガイドリブと、このガイドリブにより案内された電線を前記コネクタ本体に保持する電線保持部とを有するコネクタと、
このコネクタの前記電線引き出し側に装着されて前記端子収容室から引き出されて折り曲げられた電線を覆う電線カバーとを備え、
電線引き出し方向と異なる方向へ折り曲げられ前記ガイドリブによって案内された電線の反力を抑制する位置に前記電線保持部が設けられ、前記電線カバーは前記電線保持部を覆うと共に、該電線保持部に保持された電線を覆うことを特徴とするコネクタ構造。
【請求項２】
請求項１記載の発明であって、
前記コネクタ本体にカバー係止ロック部が設けられ、前記電線カバーに前記カバー係止ロック部に係合して電線カバーをコネクタ本体にロックする係止部が設けられていることを特徴とするコネクタ構造。
【請求項３】
請求項１又は２記載の発明であって、
前記電線保持部は、前記コネクタ本体の一側部から立ち上がる連結壁部と、この連結壁部から延設され、電線引き出し方向と異なる方向に折り曲げられた電線を前記コネクタ本体との間で保持する保持板壁部とから形成されていることを特徴とするコネクタ構造。
【請求項４】
請求項３記載の発明であって、
前記保持板壁部は、電線引き出し方向と異なる方向に折り曲げられた電線の上部を保持する位置に設けられていることを特徴とするコネクタ構造。
【発明の詳細な説明】
【技術分野】
【０００１】
本発明は、コネクタ本体から引き出され、電線引き出し方向と異なる方向へ折り曲げられた電線を保持するために用いられるコネクタ構造に関する。
【背景技術】
【０００２】
ワイヤハーネス等の車両用の電線は車体の狭い空間内に配置されることから、コネクタ本体から引き出した直後に直角曲げ等の電線引き出し方向と異なる方向への折り曲げがなされて配線される。この配線を行うため、コネクタはコネクタ本体から引き出されて折り曲げられた電線をテープ巻きによって保持する構造となっている。このような従来のコネクタ構造としては、例えば特許文献１に記載されており、図８〜図１４は従来のコネクタ構造を示す。
【０００３】
図８に示すように、従来のコネクタ構造１００は、電線１３０が接続されるコネクタ１１０と、コネクタ１００に装着される電線カバー１２０とを備えている。
【０００４】
コネクタ１１０は、電線１３０の端子金具１３１が収容される複数の端子収容室１１２を備えたコネクタ本体１１１と、コネクタ本体１１１に形成されたガイドリブ１１３及び電線保持部１１４とを備えている。電線１３０は端子収容室１１２から引き出された後、電線引き出し方向と異なる方向（最終的には電線引き出し方向と反対側の方向）に折り曲げられるものであり、ガイドリブ１１３は折り曲げられた電線１３０を電線保持部１１４に案内する（図１０参照）。電線保持部１１４はガイドリブ１１３からの電線１３０を束ねた状態で保持するものである（図１０、図１１参照）。
【０００５】
電線カバー１２０はコネクタ１１０における電線引き出し側に装着されるものであり、端子収容室１１２側からコネクタ１１０に装着される。電線カバー１２０は端子収容室１１２、ガイドリブ１１３及び電線保持部１１４を含んだ領域を覆う形状に形成されたカバー本体１２１と、カバー本体１２１に一体に設けられたテープ巻き固定部１２２とを有している。テープ巻き固定部１２２はリップ状の平板形状となった状態でカバー本体１２１からコネクタ１１０側に突出している。このテープ巻き固定部１２２は電線保持部１１４側に位置しており、電線保持部１１４を通過する電線１３０にテープ１２３を巻回する際に、この巻回されるテープ１２３が巻かれる。このことによりコネクタ１１０の電線保持部１１４が電線１３０を保持して固定するのに加えてテープ巻き固定部１２２が電線１３０を保持するため、電線１３０の折り曲げ状態を強固に固定するようになっている（図１４参照）。
【０００６】
電線カバー１２０のコネクタ１１０への装着は、コネクタ本体１１１にロック受け部１４１を形成する一方、ロック受け部１４１に対応したロック爪１４３を電線カバー１２０に形成し、これらを係合させることにより行われる。図１１に示すように、ロック受け部１４１はコネクタ本体１１１の一側の面（背面）における端子収容室１１２の下側の左右に設けられている。すなわち、ロック受け部１４１は横並び状となっている端子収容室１１２の両端部分に位置するようにコネクタ本体１１１に形成されている。一方、ロック爪１４３は電線カバー１２０のコネクタ１１０側の面における対応位置に設けられている。
【０００７】
次に、従来のコネクタ１１０への電線１３０の取り付けを説明する。図８に示すように、電線１３０の端末の端子金具１３１をコネクタ本体１１１の端子収容室１１２に挿入し、端子収容室１１２内の係止ランス等の係止部材（図示省略）に係止して端子金具１３１を端子収容室１１２に収容する。図９はこの状態を示し、電線１３０が端子収容室１１２の軸線方向に沿って引き出されている。
【０００８】
それぞれの端子収容室１１２から引き出されている電線１３０を図１０の矢印１５０に示す方向に折り曲げる。これにより電線１３０は、図９の電線引き出し方向と異なった方向である略直角方向に折り曲げられる。折り曲げは電線１３０が電線保持部１１４側に向かうようになされる。この電線１３０に対してはさらに折り曲げを行うものであり、電線１３０は図１０の矢印１５１で示す方向に折り曲げられる。以上の折り曲げは、ガイドリブ１１３に電線１３０を引っ掛けることにより行われ、折り曲げられた電線１３０はコネクタ本体１１１の前方側に引き出される。このとき電線１３０は、電線保持部１１４を通過することにより電線保持部１１４に部分的に収容された状態となる。
【０００９】
図１２は電線保持部１１４が電線１３０を保持した状態のコネクタ１１０に対し電線カバー１２０を取り付ける状態を示し、端子収容室１１２、ガイドリブ１１３、電線保持部１１４を覆うように電線カバー１２０のカバー本体１２１をコネクタ１１０に取り付ける。電線カバー１２０は、そのロック爪１４３がコネクタ１１０のロック受け部１４１に係合することによりコネクタ１１０に装着される。この装着状態においては、図１３に示すように、テープ巻き固定部１２２が電線保持部１１４から引き出されている電線１３０の長さ方向に沿って延びている。図１４はテープ巻きした状態を示し、テープ１２３を電線１３０及びテープ巻き固定部１２２に巻き付けることにより電線１３０をテープ巻き固定部１２２に束ねて固定した状態とすることができる。
【先行技術文献】
【特許文献】
【００１０】
【特許文献１】特開平７−２１１３８８号公報
【発明の概要】
【発明が解決しようとする課題】
【００１１】
しかしながら従来のコネクタ構造１００においては、電線１３０の反力（テンション）が電線カバー１２０に作用することにより、電線カバー１２０がコネクタ１１０から外れる問題を有している。これは図１４に示すように、テープ巻き固定部１２２の長さＬ２が長く、電線１３０の反力が大きなモーメントとなってロック爪１４３及びロック受け部１４１に作用するためである。これに加えて、従来のコネクタ構造１００においては、テープ巻き固定部１２２が長いため、その分、電線カバー１２０の外形が大きく、コネクタ構造１００の全体の外形が大きくなる問題を有している。
【００１２】
そこで、本発明は、電線の反力によって電線カバーがコネクタから外れることを防止し、しかも外形を小さくすることが可能なコネクタ構造を提供することを目的とする。
【課題を解決するための手段】
【００１３】
請求項１記載の発明は、電線端末の端子金具が収容される端子収容室が形成されたコネクタ本体と、このコネクタ本体に一体形成されコネクタ本体から引き出される電線引き出し方向と異なる方向へ折り曲げられる電線を案内するガイドリブと、このガイドリブにより案内された電線を前記コネクタ本体に保持する電線保持部とを有するコネクタと、このコネクタの前記電線引き出し側に装着されて前記端子収容室から引き出されて折り曲げられた電線を覆う電線カバーとを備え、電線引き出し方向と異なる方向へ折り曲げられ前記ガイドリブによって案内された電線の反力を抑制する位置に前記電線保持部が設けられ、前記電線カバーは前記電線保持部を覆うと共に、該電線保持部に保持された電線を覆うことを特徴とする。
【００１４】
請求項２記載の発明は、請求項１記載の発明であって、前記コネクタ本体にカバー係止ロック部が設けられ、前記電線カバーに前記カバー係止ロック部に係合して電線カバーをコネクタ本体にロックする係止部が設けられていることを特徴とする。
【００１５】
請求項３記載の発明は、請求項１又は２記載の発明であって、前記電線保持部は、前記コネクタ本体の一側部から立ち上がる連結壁部と、この連結壁部から延設され、電線引き出し方向と異なる方向に折り曲げられた電線を前記コネクタ本体との間で保持する保持板壁部とから形成されていることを特徴とする。
【００１６】
請求項４記載の発明は、請求項３記載の発明であって、前記保持板壁部は、電線引き出し方向と異なる方向に折り曲げられた電線の上部を保持する位置に設けられていることを特徴とする。
【発明の効果】
【００１７】
請求項１記載の発明によれば、ガイドリブの案内によって電線引き出し方向と異なる方向に折り曲げられた電線を電線保持部が保持し、コネクタの電線引き出し側に電線カバーを装着することにより電線が電線カバーに覆われる。この場合、電線カバーは電線保持部を覆うと共に、電線保持部に保持された電線を覆う。電線保持部は折り曲げられた電線の反力を抑制する位置に設けられており、電線保持部に作用する電線の反力が小さいものとなる。従って、電線保持部だけで電線を確実に保持することができ、電線カバーにテープ巻き固定部を設ける必要がなくなる。テープ巻き固定部がないことからテープ巻き固定部を介して電線カバーに作用する電線の反力がなくなり、電線の反力によって電線カバーがコネクタから外れることがなくなる。又、テープ巻き固定部がない分、電線カバーの外形を小さくすることができ、コネクタ構造の外形を小さくすることが可能となる。
【００１８】
請求項２記載の発明によれば、コネクタ本体に設けたカバー係止ロックと電線カバーに設けた係止部とが係合するため、電線カバーをコネクタに確実に装着することができる。
【００１９】
請求項３記載の発明によれば、保持板壁部が延設される連結壁部がコネクタ本体から立ち上がっているため、保持板壁部とコネクタ本体の上面との間で電線を保持することができる。このため、電線を簡単に保持することができる。
【００２０】
請求項４記載の発明によれば、保持板壁部が電線の上部を保持する位置に設けられているため、電線を上方から押え付けて保持することができ、電線を簡単に保持することができる。
【図面の簡単な説明】
【００２１】
【図１】本発明の一実施形態のコネクタ構造を示す分解斜視図である。
【図２】端子金具を収容した状態のコネクタを示す平面図である。
【図３】電線の折り曲げ操作を示す平面図である。
【図４】電線を折り曲げた状態を示す背面図である。
【図５】電線カバーをコネクタに取り付ける操作を示す斜視図である。
【図６】電線カバーをコネクタに取り付けた状態を示す斜視図である。
【図７】電線カバーをコネクタに取り付けた状態を示す側面図である。
【図８】従来のコネクタ構造を示す分解斜視図である。
【図９】従来のコネクタ構造における端子金具収容状態の平面図である。
【図１０】従来における電線の折り曲げ操作を示す平面図である。
【図１１】従来における電線の折り曲げ状態を示す背面図である。
【図１２】従来における電線カバーをコネクタに取り付ける操作を示す斜視図である。
【図１３】従来における電線カバーをコネクタに取り付けた状態を示す斜視図である。
【図１４】従来における電線カバーをコネクタに取り付けた状態を示す側面図である。
【発明を実施するための形態】
【００２２】
図１〜図７は、本発明の一実施形態のコネクタ構造１を示し、図１は全体の分解斜視図である。図２は電線収容状態のコネクタ２の平面図、図３は電線５の折り曲げ操作を示す平面図、図４は電線５の折り曲げ状態を示す背面図、図５は電線カバー３をコネクタ２に取り付ける操作を示す斜視図、図６は電線カバー３をコネクタ２に取り付けた状態を示す斜視図、図７は電線カバー３をコネクタ２に取り付けた状態を示す側面図である。
【００２３】
図１に示すにように、この実施形態のコネクタ構造１は、電線５が接続されるコネクタ２と、コネクタ２に装着される電線カバー３とを備えている。
【００２４】
コネクタ２は端子収容室１１が形成されたコネクタ本体１２と、コネクタ本体１２に一体に形成されたガイドリブ１３及び電線保持部１４とを備えている。端子収容室１１はコネクタ本体１２に横並び状に複数が形成されており、それぞれの端子収容室１１には電線５の端末の端子金具６が挿入されて収容される。端子収容室１１に収容された端子金具６は端子収容室１１内の係止ランス等の係止部材（図示省略）に係止されて抜け止めされ、この抜け止め状態で端子収容室１１に反対側から挿入された相手端子と接触する。この接触により端子金具６は相手端子と電気的に接続される。このように端子金具６が端子収容室１１に挿入されることにより、電線５は端子収容室１１から引き出された状態となる。すなわちコネクタ本体１２においては、端子収容室１１が突出している一側の面１６が電線引き出し側となるものである。
【００２５】
電線５はその端末側に防水栓７が取り付けられ、防水栓７よりも先端側に端子金具６が取り付けられている。端子金具６を端子収容室１１に挿入することにより、図４に示すように防水栓７が端子収容室１１を塞いで防水を行うようになっている。
【００２６】
ガイドリブ１３はＬ字状となっている縦長の板状に形成されており、コネクタ本体１２における一側の面１６から電線引き出し側である外方に向かって延びている。又、ガイドリブ１３は端子収容室１１よりも上部に位置するようにコネクタ本体１２の一側の面１６に形成されている。このようなガイドリブ１３は端子収容室１１から引き出された電線５を折り曲げる際に電線５の折り曲げを案内する。この案内は図４に示すように、ガイドリブ１３の下側のコーナー部１３ａにより行われる。
【００２７】
電線保持部１４はガイドリブ１３よりも、さらに外側に位置し、しかもガイドリブ１３よりも高い位置となるようにコネクタ本体１２に形成されている。電線保持部１４はコネクタ本体１２の一側部（図１において右端面１７）から立ち上がる連結壁部１４ａと、連結壁部１４ａに延設された保持板壁部１４ｂとによって形成されている。
【００２８】
保持板壁部１４ｂは連結壁部１４ａの上端からガイドリブ１３側に向かって延びるように連結壁部１４ａに延設されている。このように保持板壁部１４ｂがコネクタ本体１２の一側部１７から立ち上がった連結壁部１４ａに延設されることにより、保持板壁部１４ｂはコネクタ本体１２の上面１８と間隔を有した状態でコネクタ本体１２の上面よりも高い位置に設けられている。保持板壁部１４ｂにおいては、連結壁部１４ａとの反対側が開口状態となっている。すなわち、保護板壁部１４ｂにおける連結壁部１４ａの反対側には、開口部１５が形成されており（図４参照）、この開口部１５を通じて保持板壁部１４ｂとコネクタ本体１２の上面１８との間に電線５を差し込むことが可能となっている。そして、保持板壁部１４ｂとコネクタ本体１２の上面１８との間に電線５を差し込むことにより、保持板壁部１４ｂによって上方への変位が規制され、連結壁部１４ａによって横方向への変位が記載された状態で電線５が電線保持部１４に保持される。
【００２９】
図３に示すように、連結壁部１４ａ及び保持板壁部１４ｂは電線５の差し込み方向に沿って延びている。すなわち、連結壁部１４ａ及び保持板壁部１４ｂは、コネクタ本体１２の一側の面１６から他側の面（前側の面）１９に向かって延びている。これにより電線保持部１４においては、電線５を保持する保持部分が長くなっている。
【００３０】
このように連結壁部１４ａ及び保持板壁部１４ｂからなる電線保持部１４がガイドリブ１３よりも外側に位置し、しかもガイドリブ１３よりも高い位置となるようにコネクタ本体１２に形成され、さらに電線５の保持部分が長くなっていることにより、電線保持部１４はガイドリブ１３によって折り曲げられた電線５の反力を抑制することができる。電線５の反力を抑制することにより、電線５の反力が小さくなるため、電線保持部１４だけで電線５を確実に保持することができる。このため、従来のように電線カバーにテープ巻き固定部を設ける必要がなくなる。
【００３１】
電線カバー３はコネクタ２における電線引き出し側に装着されるものであり、このため電線カバー３は一側の面１６側からコネクタ２に装着される。電線カバー３はコネクタ本体１２の一側の面１６に臨んで端子収容室１１から引き出された電線５を覆う電線引き出し側保護壁部３１と、電線引き出し側保護壁部３１の下端部からコネクタ本体１２側に延びて底面となる下面側保護壁部３３とを有している。下面側保護壁部３３は端子収容室１１から引き出された電線５を下方側から覆うものである（図７参照）。
【００３２】
さらに、電線カバー３は電線保持部保護壁部３５を有している。電線保持部保護壁部３５は電線引き出し側保護壁部３１からコネクタ本体１２側に一体に延びるように形成されている。この場合、電線保持部保護壁部３５はコネクタ本体１２の電線保持部１４側に位置した状態で電線保持部１４に向かって延びるように電線引き出し側保護壁部３１に一体に形成されている。又、電線保持部保護壁部３５は下面が開口されたコ字枠形状に形成されている。これにより、電線カバー３をコネクタ２に装着した状態では、電線保持部保護壁部３５は電線保持部１４の上方及び左右の側方を覆うようになっている。加えて、この電線保持部保護壁部３５は、電線保持部に１４に保持された状態の電線５を覆っている。
【００３３】
以上に加えて、コネクタ本体１２にはカバー係止ロック部２１が設けられている。図４に示すように、カバー係止ロック部２１はコネクタ本体１２における一側の面１６に形成されるものであり、横並び状となっている端子収容室１１の両端に位置するように一対が設けられる。これに対し、電線カバー３にはカバー係止ロック部２１に係合する係止部２２が設けられている（図７参照）。電線カバー３側の係止部２２は、カバー係止ロック部２１と対応した位置となるように電線カバー３に形成される。電線カバー３をコネクタ２に装着する際にはカバー係止ロック部２１と係止部２２とが係合し、この係合により電線カバー３がコネクタ本体１２に固定される。カバー係止ロック部２１及び係止部２２は、相互に係合可能な爪形状あるいはフック形状に形成することができる。
【００３４】
次に、この実施形態によって電線５を取り付ける手順を説明する。
【００３５】
図１に示すように、電線５の端末の端子金具６をコネクタ本体１２の端子収容室１１に挿入し、端子収容室１１内の係止部材に係止することにより抜け止め状態で端子金具６を端子収容室１１に収容する。端子収容室１１への端子金具６の挿入では、電線５は端子収容室１１から引き出されている。図２における矢印４１は、電線引き出し方向であり、端子収容室１１の軸線方向に沿った方向となっている。
【００３６】
図３は端子収容室１１から引き出された電線５を折り曲げる状態を示す。折り曲げは電線引き出し方向４１と異なった方向である略直角方向に向かって行われる。図３における矢印４３はこの折り曲げ方向であり、電線５は電線保持部１４側に向かうように折り曲げられる。折り曲げ方向４３に沿って電線５を折り曲げることにより、電線５はガイドリブ１３に到達する。
【００３７】
電線５がガイドリブ１３に到達した後は、ガイドリブ１３に電線５を引っ掛けることによりガイドリブ１３を案内にして電線５をさらに折り曲げる。図３における矢印４５は、この折り曲げ方向を示し、電線５はコネクタ本体１２の前側の面１９に向かって引き出される。かかる折り曲げに際しては、電線５が電線保持部１４に保持されるように行う。すなわち、開口部１５を通じて電線５を保持板壁部１４ｂとコネクタ本体１２の上面１８との間に差し込むように折り曲げる。これにより電線５は保持板壁部１４ｂによって上方への変位が規制され、連結壁部１４ａによって横方向への変位が記載された状態で電線保持部１４に保持される（図４参照）。
【００３８】
図５は電線カバー３をコネクタ２に装着する状態を示し、図６は電線カバー３をコネクタ２に装着した斜視図を示し、図７は電線カバー３をコネクタ２に装着した側面図を示す。
【００３９】
電線カバー３はコネクタ２の電線引き出し側（一側の面１６側）に装着されるものであり、図５の矢印で示す装着方向４７に沿って電線カバー３をコネクタ２の電線引き出し側に組み付ける。電線カバー３は端子収容室１１から引き出されている電線５を電線引き出し側保護壁部３１及び下面側保護壁部３３が覆って保護する。又、電線カバー３の電線保持部保護壁部３５は、電線保持部１４を覆って電線保持部１４を保護した状態となる。
【００４０】
電線カバー３をコネクタ本体１２に組み付ける場合には、電線カバー３の係止部２２とコネクタ本体１２のカバー係止ロック部２１とが相互に係合する。この係合により電線カバー３をコネクタ２に装着することができる。
【００４１】
このような実施形態では、コネクタ２の電線保持部１４が折り曲げられた電線５の反力を抑制する位置に設けられており、電線保持部１４に作用する電線５の反力が小さいものとなっている。このため、電線保持部１４だけで電線５を確実に保持することができ、従来のように電線カバー３にテープ巻き固定部を設ける必要がなくなる。テープ巻き固定部がないことから、テープ巻き固定部を介して電線カバー３に作用する電線５の反力がなくなるため、電線５の反力によって電線カバー３がコネクタ２から外れることがなくなる。
【００４２】
又、電線カバー３がテープ巻き固定部を不要とするため、電線カバー３の外形を小さくすることができる。図７における寸法Ｌ２はテープ巻き固定部を設けた場合の電線カバーの寸法であり、寸法Ｌ１はテープ巻き固定部をなくした場合の電線カバー３の寸法である。寸法Ｌ２に対し寸法Ｌ１が小さくなっており（Ｌ２＞Ｌ１）、この実施形態の電線カバー３の外形は小さくなっている。これにより、コネクタ構造１の全体の外形を小さくすることができる。
【００４３】
又、この実施形態では、コネクタ本体１２に設けたカバー係止ロック部２１と、電線カバー３に設けた係止部２２とが係合することにより、電線カバー３がコネクタ２に装着されるため、電線カバー３を確実にコネクタ２に装着することができる。
【００４４】
又、電線保持部１４をコネクタ本体１２から立ち上がっている連結壁部１４ａと、連結壁部１４ａから延設される保持板壁部１４ｂとによって形成し、電線５を保持板壁部１４ｂとコネクタ本体１２の上面１８との間で保持するため、電線５を簡単に保持することができる。
【００４５】
又、保持板壁部１４ｂは電線５の上部を保持する位置に設けられているため、電線５を上方から抑えて保持することができ、電線５を簡単に保持することができる。
【符号の説明】
【００４６】
１  コネクタ構造
２  コネクタ
３  電線カバー
５  電線
６  端子金具
１１  端子収容室
１２  コネクタ本体
１３  ガイドリブ
１４  電線保持部
１４ａ  連結壁部
１４ｂ  保持板壁部
２１  カバー係止ロック部
２２  係止部
【図１】
2012150950.tif 000003
【図２】
2012150950.tif 000004
【図３】
2012150950.tif 000005
【図４】
2012150950.tif 000006
【図５】
2012150950.tif 000007
【図６】
2012150950.tif 000008
【図７】
2012150950.tif 000009
【図８】
2012150950.tif 000010
【図９】
2012150950.tif 000011
【図１０】
2012150950.tif 000012
【図１１】
2012150950.tif 000013
【図１２】
2012150950.tif 000014
【図１３】
2012150950.tif 000015
【図１４】
2012150950.tif 000016